(57)【要約】【課題】新品の商品を販売する販売店と連携することで、古物商が古物をより確実にかつ効率よく仕入れ、客への古物の販売を時機を逸することなくおこなうこと。【解決手段】古本販売店１０の古本販売管理装置１１が、所定の期間内であるならば通常の買取価格よりも高い価格で買い取りをおこなうなど、予め定められた条件で買い取ることを保証する買取保証に係る情報をインターネット１４を介して書店１２の書店端末装置１３に送信し、書店１２はその買取保証に係る情報に基づいて買取保証を付与して新本を新本購入者１５に販売し、古本販売店１０は、新本購入者１５がその本を売却する際、所定の期間内であれば予め定められた条件で買い取り、買い取った本を古本購入者１６に販売する。【選択図】      図１
2004227428.tif 000002
【特許請求の範囲】
【請求項１】
新品の商品を販売する販売店の端末装置にネットワークを介して接続され、該販売店により販売されて古物となった該商品の売買を管理する古物売買管理装置であって、
前記新品の商品が前記販売店により販売される場合に該販売店により付与される前記古物となった商品を所定の期間内に所定の条件で買い取ることを保証する買取保証に係る情報を少なくとも記憶する買取保証情報記憶手段と、
前記買取保証情報記憶手段により記憶された前記買取保証が付与される新品の商品に対応する前記買取保証に係る情報を読み出して前記販売店の端末装置に送信する買取保証情報送信手段と、
を備えたことを特徴とする古物売買管理装置。
【請求項２】
前記買取保証の付与を受ける資格を有する会員の会員情報を記憶する会員情報記憶手段と、前記会員情報記憶手段により記憶された会員情報に対応する前記会員の端末装置に対して前記ネットワークを介して前記買取保証に係る情報を送信する買取保証情報通知手段と、をさらに備えたことを特徴とする請求項１に記載の古物売買管理装置。
【請求項３】
前記販売店の端末装置により送信された前記新品の商品を購入する購入者の購入者情報を受信する購入者情報受信手段と、該購入者が前記買取保証の付与を受ける資格を有する会員かどうかを前記会員情報記憶手段により記憶された会員情報を参照して判定する会員判定手段と、前記会員判定手段により判定された結果を前記販売店の端末装置に送信する判定結果送信手段と、をさらに備えたことを特徴とする請求項２に記載の古物売買管理装置。
【請求項４】
前記購入者が買取保証の付与を受ける資格を有する会員であった場合に前記購入者情報受信手段により受信された該購入者の購入者情報を記憶する購入者情報記憶手段と、前記購入者情報記憶手段により記憶された前記購入者情報に対応する前記購入者の端末装置に前記古物となった商品の売却を促す売却促進通知を前記ネットワークを介して送信する売却促進通知送信手段と、をさらに備えたことを特徴とする請求項３に記載の古物売買管理装置。
【請求項５】
買い取りをおこなう前記古物となった商品の買取保証に係る前記条件を前記会員の該商品に対する評価に基づいて決定する買取保証条件決定手段と、前記買取保証条件決定手段により決定された前記条件に基づいて前記買取保証に係る情報を作成する買取保証情報作成手段と、をさらに備えたことを特徴とする請求項２〜４のいずれか一つに記載の古物売買管理装置。
【請求項６】
新品の商品を販売する販売店の端末装置にネットワークを介して接続された古物売買管理装置が該販売店により販売されて古物となった該商品の売買を管理する古物売買管理方法をコンピュータに実行させるプログラムであって、
前記新品の商品が前記販売店により販売される場合に該販売店により付与される前記古物となった商品を所定の期間内に所定の条件で買い取ることを保証する買取保証に係る情報を少なくとも記憶する買取保証情報記憶工程と、
前記買取保証情報記憶工程により記憶された前記買取保証が付与される新品の商品に対応する前記買取保証に係る情報を読み出して前記販売店の端末装置に送信する買取保証情報送信工程と、
をコンピュータに実行させるプログラム。
【発明の詳細な説明】
【０００１】
【発明の属する技術分野】
この発明は、新品の商品を販売する販売店の端末装置にネットワークを介して接続され、該販売店により販売されて古物となった該商品の売買を管理する古物売買管理装置、古物売買管理方法およびその方法をコンピュータに実行させるプログラムに関し、特に、新品の商品を販売する販売店と連携することで、古物商が古物をより確実にかつ効率よく仕入れ、客への古物の販売を時機を逸することなくおこなうことができる古物売買管理装置、古物売買管理方法およびその方法をコンピュータに実行させるプログラムに関する。
【０００２】
【従来の技術】
従来、古物の売買をおこなう古物商は、不要になった古物を第三者から買い取り、それを別の第三者に売却して、売却金額と買取金額との差額から利益を得ることで商売をおこなっている。古物商は、本、ＣＤ・ビデオテープ・ＤＶＤなどのＡＶ（Ａｕｄｉｏ−Ｖｉｓｕａｌ）ソフトウェア、テレビゲーム機用ソフトウェアなど流行り廃りが激しい商品も多数取り扱っている。
【０００３】
一般に、古物商の古物の仕入れは、古物を売却するかどうかという第三者の自由意思に依存している。そのため、古物商は予め仕入れ数を予測することが難しく、販売する古物の在庫を適正な数に維持することは非常に困難であった。特に、客からの購入希望が多い流行りの古物を古物商が仕入れたい場合には、それを時機を逸せずに多数仕入れることが難しく、すべての客の購買意欲を満足させることはできなかった。
【０００４】
そこで、これらの問題を解決するため、古物の所有者情報とその所有者の古物の所有数をデータベースで管理し、在庫が不足した場合に、不足した古物と同じものを所有する所有者にその古物を買い取る意思のある旨の案内を通知する技術が特許文献１に開示されている。
【０００５】
【特許文献１】
特開２００２−１５０１６６号公報
【０００６】
【発明が解決しようとする課題】
しかしながら、この従来技術では、古物の新たな仕入れ先を積極的に開拓するといったことはおこなわず、データベースに登録された古物の所有者に対してのみ買い取りの案内を通知するため、客からの購入希望が多い、現在流行している商品を古物商が多数仕入れたい場合に、十分な数の仕入れをおこなうことができないという問題があった。
【０００７】
また、古物を所有する所有者がその古物をいつまでに古物商に売却するのかについては不明であり、古物商は仕入れがいつになるのかを予想することはできないという問題があった。したがって、たとえその古物の購入を希望する客がいたとしても、その客に入荷見込み日を通知することは難しいという問題があった。
【０００８】
さらに、古物商は古物を所有する所有者に対し、その古物を買い取る意思のある旨の案内を買取金額とともに通知するが、その買取金額は古物の現在価値を査定して決定するため、古物の所有者にとってはとりわけ得であるといった感覚はなく、古物売却への強い動機とはならないという問題があった。
【０００９】
この発明は、上述した従来技術による問題点を解決するためになされたものであり、新品の商品を販売する販売店と連携することで、古物商が古物をより確実にかつ効率よく仕入れ、客への古物の販売を時機を逸することなくおこなうことができる古物売買管理装置、古物売買管理方法およびその方法をコンピュータに実行させるプログラムを提供することを目的とする。
【００１０】
【課題を解決するための手段】
上述した課題を解決し、目的を達成するため、請求項１の発明に係る古物売買管理装置は、新品の商品を販売する販売店の端末装置（図２に示す書店端末装置１３に対応する）にネットワーク（図２に示すインターネット１４に対応する）を介して接続され、該販売店により販売されて古物となった該商品の売買を管理する古物売買管理装置（図２に示す古本売買管理装置１１に対応する）であって、前記新品の商品が前記販売店により販売される場合に該販売店により付与される前記古物となった商品を所定の期間内に所定の条件で買い取ることを保証する買取保証に係る情報（図２に示す買取保証データ１１３ｃに対応する）を少なくとも記憶する買取保証情報記憶手段（図２に示す買取保証データ処理部１１４ｄに対応する）と、前記買取保証情報記憶手段により記憶された前記買取保証が付与される新品の商品に対応する前記買取保証に係る情報を読み出して前記販売店の端末装置に送信する買取保証情報送信手段（図２に示す買取保証データ処理部１１４ｄに対応する）と、を備えたことを特徴とする。
【００１１】
この請求項１の発明によれば、新品の商品が販売店により販売される場合に付与される、古物を所定の期間内に所定の条件で買い取ることを保証する買取保証に係る情報を少なくとも記憶し、買取保証が付与される新品の商品に対応する記憶された買取保証に係る情報を読み出して販売店の端末装置に送信することとしたので、古物商は、買取保証を付与して販売された商品を古物としてより確実にかつ効率よく仕入れ、客への古物の販売を時機を逸することなくおこなうことができる。
【００１２】
また、請求項２の発明に係る古物売買管理装置は、請求項１の発明において、前記買取保証の付与を受ける資格を有する会員の会員情報（図２に示す会員データ１１３ａに対応する）を記憶する会員情報記憶手段（図２に示す会員データ処理部１１４ａに対応する）と、前記会員情報記憶手段により記憶された会員情報に対応する会員の端末装置（図２に示す古本販売店会員端末装置２２に対応する）に対して前記ネットワークを介して前記買取保証に係る情報を送信する買取保証情報通知手段（図２に示す買取保証データ処理部１１４ｄ）と、をさらに備えたことを特徴とする。
【００１３】
この請求項２の発明によれば、買取保証の付与を受ける資格を有する会員の会員情報を記憶し、記憶された会員情報に対応する会員の端末装置に対してネットワークを介して買取保証に係る情報を送信することとしたので、買取保証に係る情報を会員に広く伝達し、買取保証を付与して古物をより確実にかつ効率よく仕入れることができる。
【００１４】
また、請求項３の発明に係る古物売買管理装置は、請求項２の発明において、前記販売店の端末装置により送信された前記新品の商品を購入する購入者の購入者情報（図２に示す新本購入者データ１１３ｆ）を受信する購入者情報受信手段（図２に示す新本購入者データ処理部１１４ｅに対応する）と、該購入者が前記買取保証の付与を受ける資格を有する会員かどうかを前記会員情報記憶手段により記憶された会員情報を参照して判定する会員判定手段と（図２に示す会員データ処理部１１４ａに対応する）、前記会員判定手段により判定された結果を前記販売店の端末装置に送信する判定結果送信手段（図２に示す新本購入者データ処理部１１４ｅに対応する）と、をさらに備えたことを特徴とする。
【００１５】
この請求項３の発明によれば、販売店の端末装置により送信された新品の商品を購入する購入者の購入者情報を受信し、その購入者が買取保証の付与を受ける資格を有する会員かどうかを記憶された会員情報を参照して判定し、判定された結果を販売店の端末装置に送信することとしたので、販売店は買取保証の付与を受ける資格を有する会員かどうかを容易に判定し、買取保証を付与して商品を確実に販売することができる。
【００１６】
また、請求項４の発明に係る古物売買管理装置は、請求項３の発明において、前記購入者が買取保証の付与を受ける資格を有する会員であった場合に前記購入者情報受信手段により受信された該購入者の購入者情報を記憶する購入者情報記憶手段（図２に示す新本購入者データ処理部１１４ｅに対応する）と、前記購入者情報記憶手段に記憶された前記購入者情報に対応する購入者の端末装置（図２に示す新本購入者端末装置２０に対応する）に前記古物となった商品の売却を促す売却促進通知を前記ネットワークを介して送信する売却促進通知送信手段（図２に示す売却促進通知送信部１１４ｇに対応する）と、をさらに備えたことを特徴とする。
【００１７】
この請求項４の発明によれば、購入者が買取保証の付与を受ける資格を有する会員であった場合に、受信された購入者情報を記憶し、記憶した購入者情報に対応する購入者の端末装置に古物となった商品の売却を促す売却促進通知をネットワークを介して送信することとしたので、買取保証を付与された商品の売却を購入者に想起させて売却を促進し、古物商はその商品をより確実にかつ効率よく仕入れることができる。
【００１８】
また、請求項５の発明に係る古物売買管理装置は、請求項２〜４の発明において、買い取りをおこなう前記古物となった商品の買取保証に係る前記条件を前記会員の該商品に対する評価に基づいて決定する買取保証条件決定手段（図２に示した書籍評価データ処理部１１４ｃに対応する）と、前記買取保証条件決定手段により決定された前記条件に基づいて前記買取保証に係る情報を作成する買取保証情報作成手段（図２に示した買取保証データ処理部１１４ｄに対応する）と、をさらに備えたことを特徴とする。
【００１９】
この請求項５の発明によれば、買い取りをおこなう古物となった商品の買取保証に係る条件を、会員のその商品に対する評価に基づいて決定し、決定された条件に基づいて買取保証に係る情報を作成することとしたので、買取保証を付与される商品の買取保証に係る条件を適切かつ効率的に決定し、商品の仕入をおこなうことができる。
【００２０】
また、請求項６の発明に係る古物売買管理方法をコンピュータに実行させるプログラムは、新品の商品を販売する販売店の端末装置にネットワークを介して接続された古物売買管理装置が該販売店により販売されて古物となった該商品の売買を管理する古物売買管理方法をコンピュータに実行させるプログラムであって、前記新品の商品が前記販売店により販売される場合に該販売店により付与される前記古物となった商品を所定の期間内に所定の条件で買い取ることを保証する買取保証に係る情報を少なくとも記憶する買取保証情報記憶工程と、前記買取保証情報記憶工程により記憶された前記買取保証が付与される新品の商品に対応する前記買取保証に係る情報を読み出して前記販売店の端末装置に送信する買取保証情報送信工程と、をコンピュータに実行させることを特徴とする。
【００２１】
この請求項６の発明によれば、新品の商品が販売店により販売される場合に付与される、古物を所定の期間内に所定の条件で買い取ることを保証する買取保証に係る情報を少なくとも記憶し、買取保証が付与される新品の商品に対応する記憶された買取保証に係る情報を読み出して販売店の端末装置に送信することとしたので、古物商は、買取保証を付与して販売された商品を古物としてより確実にかつ効率よく仕入れ、客への古物の販売を時機を逸することなくおこなうことができる。
【００２２】
【発明の実施の形態】
以下に添付図面を参照して、この発明に係る古物売買管理装置、古物売買管理方法およびその方法をコンピュータに実行させるプログラムの好適な実施の形態を詳細に説明する。なお、古物として売買がおこなわれる商品には、本、ＣＤ・ビデオテープ・ＤＶＤなどのＡＶソフトウェア、テレビゲーム機用ソフトウェアなどがあるが、本実施の形態では、この発明を古本の売買に係る古本売買管理システムに適用した場合について示すこととする。したがって、以下では古物売買管理装置を古本売買管理装置、古物売買管理方法を古本売買管理方法と表記する。
【００２３】
（実施の形態１）
まず、本実施の形態１に係る古本売買管理システムの概念について説明する。図１は、本実施の形態１に係る古本売買管理システムの概念について説明する説明図である。
【００２４】
同図に示すように、この古本売買管理システムは、古本販売店１０の古本売買管理装置１１と新本を販売する書店１２の書店端末装置１３とがインターネット１４を介して接続された構成となる。なお、ここではインターネット１４を利用することとしたが、ＬＡＮやＷＡＮなどのネットワークを利用してもよい。
【００２５】
古本売買管理装置１１は、古本販売店が仕入れたい古本の買取保証に係る情報を作成して、インターネット１４を介して書店端末装置１３に送信する（▲１▼）。ここで、買取保証に係る情報とは、書店１２で一旦販売されて古本となった本を古本販売店１０が買い取る際の買取条件と、その買取条件が適用される買取条件適用期間とを少なくとも含む情報である。
【００２６】
買取条件とは、古本販売店１０が新本購入者１５から古本を買い取る際に、新本購入者１５に特典を与えるという条件である。その特典とは、具体的には、通常の古本の買取評価額よりも高い値段で古本を買い取ることや、古本販売店１０が本を買い取る際に何らかの景品を与えることなどである。
【００２７】
古本販売店１０は、客からの購入希望が多い古本を仕入れる場合には、より高い値段で買い取ったり、より高価な景品を与えるよう特典を設定することにより、新本購入者１５が古本販売店１０に本を売却することを促進し、古本販売店１０は古本をより確実に、効率よく仕入れることができるようになる。
【００２８】
一方で、書店１２は、自店で新本を購入した新本購入者１５に対して、買取保証を付与することができるので、新本購入者１５の購買意欲を向上させ、新本の販売を促進することができる。
【００２９】
書店端末装置１３に送信する買取保証に係る情報には、買取条件および買取条件適用期間の情報に加えて、書店１２がその買取保証を付与して販売する新本の冊数の情報を含んでもよい。このように、古本売買管理装置１１が、販売する新本の冊数の情報をさらに買取保証情報に付加して書店１２に通知することで、古本販売店１０は、必要な数の古本を確保するために適切な新本の販売数を書店１２に通知し、仕入れ数をより効率的に管理することができるようになる。
【００３０】
買取保証に係る情報を受信した書店端末装置１３は、その情報をディスプレイに表示するなどして書店１２の店員に通知する。そして、店員はその通知に基づいて買取保証を付与して新本を客である新本購入者１５に販売する（▲２▼）。新本購入者１５は、その新本を読み終えた後、古本販売店１０から特典を得るために買取条件適用期間内にそれを古本として古本販売店１０に持ち込んで売却する（▲３▼）。
【００３１】
その際、古本売買管理装置１１は、古本が持ち込まれた日が買取条件適用期間内であるかどうかを確認する。そして、買取条件適用期間内である場合には古本に買取保証が適用されることをディスプレイに表示する。古本販売店１０の店員はそれを確認し、その古本を予め設定した買取条件で買い取る。その後、買い取られた古本は古本購入者１６に販売される（▲４▼）。
【００３２】
次に、本実施の形態１に係る古本売買管理システムの構成について説明する。図２は、本実施の形態１に係る古本売買管理システムの構成を示す機能ブロック図である。同図に示すように、この古本売買管理システムは、古本売買管理装置１１と、書店端末装置１３と、新本購入者端末装置２０と、古本購入者端末装置２１と、古本販売店会員端末装置２２とがインターネット１４を介して接続された構成となる。
【００３３】
新本購入者端末装置２０、古本購入者端末装置２１および古本販売店会員端末装置２２は、新本購入者１５、古本購入者１６および古本販売店の会員がそれぞれ保有する、インターネット１４を介して情報を送受信することが可能なパーソナルコンピュータや携帯電話などのインターネット端末であり、プロバイダなどを介してインターネット１４上の各種サーバ装置にアクセスできる装置である。同図には、新本購入者端末装置２０、古本購入者端末装置２１および古本販売店会員端末装置２２をそれぞれ一つだけ示しているが、各装置は複数あってよいものである。
【００３４】
古本売買管理装置１１は、本発明に係る装置であって、買取保証に係る情報を作成して記憶し、書店端末装置１３に送信する処理や、古本の買い取り時に買取保証が適用されるかどうかを判定する処理などをおこなう。また、新本購入者端末装置２０、古本購入者端末装置２１および古本販売店会員端末装置２２とのさまざまな情報の送受信などをおこなう。
【００３５】
図２に示すように、この古本売買管理装置１１は、インターフェース部１１０と、入力部１１１と、表示部１１２と、記憶部１１３と、制御部１１４とを有する。インターフェース部１１０は、インターネット１４を介して書店端末装置１３、新本購入者端末装置２０、古本購入者端末装置２１および古本販売店会員端末装置２２とデータの授受をおこなうネットワークインターフェース部である。
【００３６】
入力部１１１は、キーボードや磁気カードリーダなどの入力デバイスである。キーボードは、古本販売店１０の会員の会員データ等の入力に使用され、磁気カードリーダは、会員ＩＤ番号などを記憶させた磁気カードを会員証として配布している場合に、磁気カードに記憶された会員データの読み込みおよび入力に使用される。
【００３７】
表示部１１２は、液晶パネルやディスプレイなどの表示デバイスであり、記憶部１１３は、ＲＡＭやハードディスク装置などの記憶デバイスである。この記憶部１１３には、会員データ１１３ａと、古本予約データ１１３ｂと、買取保証データ１１３ｃと、書籍評価データ１１３ｄと、古本販売データ１１３ｅと、新本購入者データ１１３ｆとが記憶されている。
【００３８】
ここで、これらの各データ１１３ａ〜１１３ｆのデータ構造について説明する。図３から図８は、それぞれ、会員データ１１３ａ、古本予約データ１１３ｂ、買取保証データ１１３ｃ、書籍評価データ１１３ｄ、古本販売データ１１３ｅおよび新本購入者データ１１３ｆの各データ構造の一例を示す図である。
【００３９】
まず、会員データ１１３ａのデータ構造の一例について説明する。会員データ１１３ａは、古本販売店１０の会員の会員情報を蓄積したデータである。図３に示すように、会員データ１１３ａは、会員ＩＤ番号、氏名、住所、電話番号、パスワード、ｅ−ｍａｉｌアドレス、特典ポイント、売却申込回数および売却回数実績のデータから構成されている。
【００４０】
会員ＩＤ番号は、古本販売店１０の会員となった客一人一人に付与されるＩＤ番号である。氏名、住所、電話番号およびｅ−ｍａｉｌアドレスは、会員にさまざまな通知をおこなうための連絡先のデータである。パスワードは、会員がインターネット１４を介して古本売買管理装置１１にアクセスする際に、本人かどうかの確認をおこなうために古本売買管理装置１１が受け付ける暗証記号である。
【００４１】
特典ポイントは、会員が古本を古本販売店１０に売却した際にその売却金額に基づいて得られるポイントで、古本販売店１０や書店１２で本を買う際にその累積数に応じて割引などの特典が得られるものである。また、会員が書籍の評価アンケートに回答した場合に、その会員の特典ポイントに所定のポイント数が加算される。このようにすることで、会員のアンケートへの回答を促進することができる。
【００４２】
売却申込回数は、会員が新本を購入した際に、古本販売店１０への本の売却申込をおこなった回数であり、売却回数実績は、その会員が実際に古本販売店１０へ本を売却した回数である。これらのデータを参照して、売却回数実績が売却申込回数と一致する、あるいは売却申込回数と近い会員には、次回本を買い取る際に特典を与えるなどのサービスを提供することにより、より確実に本を仕入れることができるようになる。
【００４３】
次に、古本予約データ１１３ｂのデータ構造の一例について説明する。古本予約データ１１３ｂは、古本販売店１０が客から受け付けた古本の予約情報を蓄積したデータである。図４に示すように、古本予約データ１１３ｂは、古本のＩＳＢＮコード、古本を予約した会員の会員ＩＤ番号、販売する古本の古本価格、古本の予約冊数、古本を予約した予約日および古本販売店１０が予約された古本を客に提供できる提供日のデータから構成される。
【００４４】
ここで、古本の提供期限は、古本売買管理装置１１が古本購入者１６から古本の予約を受け付ける際に提示した日付であり、図１で説明した買取条件適用期間より後の日付に設定されたものである。新本購入者１５は買取条件適用期間内に本を売却しようとするので、古本販売店１０は、古本購入者１６への古本の提供日までにそれを仕入れて古本購入者１６に販売することがより容易におこなえるようになる。
【００４５】
次に、買取保証データ１１３ｃのデータ構造の一例について説明する。買取保証データ１１３ｃは、書店１２で販売された新本を古本販売店１０が買い取ることを保証する買取条件とその買取条件の適用期間等の情報を蓄積したデータである。買取条件としては様々なものが考えられるが、ここでは古本販売店１０が書店１２で販売された新本を買い取る際の、買取価格に関する条件を設定した場合について説明する。
【００４６】
図５に示すように、買取保証データ１１３ｃは、古本販売店１０が仕入れたい古本のＩＳＢＮコード、著者名、書籍名、出版社、買取保証額、買取保証期間および冊数のデータから構成される。買取保証額は、古本販売店１０が古本を買い取る買取価格であり、通常の古本の買取評価額よりも高い値段に設定されたものである。このように、高い金額に設定することで、新本購入者１５が古本販売店１０へ古本を売却することを促進することができる。
【００４７】
買取保証期間は、買取保証額での買い取りをおこなう期間であり、この期間内であれば新本購入者１５は本を買取保証額で売却することができる。冊数は、書店１２において買取保証を付加して販売される新本の冊数であり、古本販売店１０が必要な数の古本を仕入れるために設定したものである。古本販売店１０は、買取保証を付加して販売する新本の冊数を調整することにより、古本の仕入れ数をより効率的におこなうことができるようになる。
【００４８】
次に、書籍評価データ１１３ｄのデータ構造の一例について説明する。書籍評価データ１１３ｄは、古本販売店１０が販売する書籍の会員による評価情報を蓄積したデータである。図６に示すように、書籍評価データ１１３ｄは、ＩＳＢＮコード、著者名、書籍名、出版社、新本価格、評価、仕入れ値率および買取保証額から構成される。
【００４９】
ここで、評価とは、対象となる書籍の評価を５段階で数値化（この数値化については後ほど説明することとする。）したものであり、この数値が大きいほど会員の評価が高いことを意味している。仕入れ値率は、以下に示すように、古本の評価情報を基にして決定される新本の販売価格に対する古本の買取保証額の比率である。
仕入れ値率  ＝  （古本の買取保証額）  ÷  （新本の販売価格）
【００５０】
例えば、仕入れ値率は、１、２、３、４、５の評価に対して０．０１、０．０５、０．１、０．２、０．３のようにそれぞれ設定することができる。したがって、新本価格が１，５００円で評価が５の書籍の買取保証額は、１，５００円×０．３＝４５０円と計算できる。このようにして、書籍の評価に応じて適切な買取保証額を自動的に設定することができる。ここでは、上記のように仕入れ値率を設定したが、仕入れ値率は、任意の値に設定することができる。
【００５１】
さらに、ある古本に対して多くの予約がある場合には、買取保証額を増額するよう設定してもよい。例えば、古本の予約数に応じた係数を記憶しておき、予約数が多い本については、以下のような式により、買取保証額の調整をおこなう。調整後買取保証額  ＝  （調整前買取保証額）  ×  （予約数に応じた係数）
【００５２】
次に、古本販売データ１１３ｅのデータ構造の一例について説明する。古本販売データ１１３ｅは、古本販売店１０が販売する古本の販売情報を蓄積したデータである。図７に示すように、古本販売データ１１３ｅは、ＩＳＢＮコード、著者名、書籍名、出版社、新本価格、古本価格および提供期限のデータから構成される。
【００５３】
古本価格は、古本販売店１０が買取保証額に古本販売店１０の利益分を上乗せした古本の販売価格である。提供期限は、古本販売店１０が古本購入者１６から予約を受け付けた後、何日で古本を提供できるかを見積もったものである。この提供期限は、古本販売店１０が過去の実績などを基にして任意に設定することができる。
【００５４】
次に、新本購入者データ１１３ｆのデータ構造の一例について説明する。新本購入者データ１１３ｆは、書店１２の書店端末装置１３により送信された情報を基にして、新本を購入した新本購入者１５のデータを蓄積したものである。
【００５５】
図８に示すように、新本購入者データ１１３ｆは、新本購入者１５が購入した新本のＩＳＢＮコード、新本購入者１５の会員ＩＤ番号、書店コード、購入冊数、購入日、買取保証の適用される買取保証期間およびその新本を古本販売店１０に売却した売却日のデータから構成される。
【００５６】
書店コードは、新本購入者１５が新本を購入した書店１２を識別するための識別コードである。売却日のデータは、以下に説明する新本購入者データ処理部１１４ｅにより設定されるもので、新本購入者１５が新本を購入した時点では「０」が、それを古本販売店１０に売却した場合にはその売却日が設定される。
【００５７】
図２の説明に戻ると、古本売買管理装置１１の制御部１１４は、会員データ処理部１１４ａと、予約処理部１１４ｂと、書籍評価データ処理部１１４ｃと、買取保証データ処理部１１４ｄと、新本購入者データ処理部１１４ｅと、仕入処理部１１４ｆと、売却促進通知送信部１１４ｇと、特典ポイント付与部１１４ｈとを有する。
【００５８】
会員データ処理部１１４ａは、インターネット１４に接続された端末装置からの古本販売店１０の会員登録要求を受け付けて会員登録をおこない、その会員情報を記憶部１１３に会員データ１１３ａとして記憶する処理部である。会員登録の処理では、具体的には、登録希望者に対する会員ＩＤ番号の割り当て、個人情報の取得、パスワードの発行および特典ポイントの初期化などをおこなう。
【００５９】
また、新本購入者１５あるいは古本購入者１６が会員であるかどうかを確認する確認要求を受け付け、新本購入者１５あるいは古本購入者１６の会員ＩＤ番号や電話番号などの情報が会員データ１１３ａに記憶してあるものと一致するかどうかを照合して確認し、結果を出力する。
【００６０】
予約処理部１１４ｂは、古本購入者端末装置２１との間でデータの送受信をおこなって、古本購入者端末装置２１からの古本購入の予約情報を受け付け、その予約情報を記憶部１１３に古本予約データ１１３ｂとして記憶する処理部である。また、予約を受け付けた古本の仕入がおこなわれた場合には、記憶部１１３の古本予約データ１１３ｂを参照し、その古本を購入する会員の古本購入者端末装置２１に対して入荷情報を送信し、会員に通知する。
【００６１】
その際、予約処理部１１４ｂは、古本販売データ１１３ｅから予約を受け付けた古本の提供期限を読み出し、予約を受け付けた予約日とから古本の提供日を計算してそれを古本予約データ１１３ｂに記憶する処理をおこなう。そして、予約を受け付けた後、予約を受け付けたことを通知する確認の電子メールを古本購入者端末装置２１に送信する。
【００６２】
図９は、古本売買管理装置１１が古本の予約を受け付ける際の古本購入者端末装置２１の画面表示の一例を示す図である。同図に示すように、この古本予約の画面には、予約する古本の提供価格（古本提供価格「７５０円」）の情報と、その本の入手可能日（提供期限「お申し込み後２０日」）などの情報が表示される。
【００６３】
また、表示画面には予約フォームが備えられ、古本購入者１６が会員ＩＤ番号、パスワードおよび購入する古本の冊数を入力して申し込みボタンをクリックすることにより、古本購入者１６の予約情報が古本売買管理装置１１に送信され、古本予約データ１１３ｂとして記憶される。
【００６４】
図２の説明に戻ると、書籍評価データ処理部１１４ｃは、複数の会員の古本販売店会員端末装置２２に書籍の評価アンケートを送信する。そして、書籍評価データ処理部１１４ｃは、会員により入力された回答を受信し、それを集計して書籍の評価を算定する。その後、算定された書籍の評価とそれに対応する仕入れ値率とから買取保証額を計算し、書籍評価データ１１３ｄとして記憶部１１３に記憶する。
【００６５】
図１０は、古本売買管理装置１１が書籍評価アンケートをとる場合の古本販売店会員端末装置２２の画面表示の一例を示す図である。同図に示すように、この書籍評価アンケートの画面には、アンケート対象となる書籍の情報と、５段階評価で回答する各質問事項とが表示される。
【００６６】
また、書籍評価アンケートに対する回答を促進するために、アンケートに回答した会員には特典ポイントを付与することも可能である。図１０の画面表示には特典ポイントが付与されて、特典ポイントの累積数が３９になった状態が示されている。この特典ポイントの付与は、後に説明する特典ポイント付与部１１４ｈによりおこなわれる。
【００６７】
そして、書籍評価データ処理部１１４ｃは、各質問の５段階での回答の平均値、あるいは質問ごとに重みを付けて平均した重み付き平均値を算出し、その平均値を四捨五入するなどして、その書籍の評価を５段階評価で決定し、書籍評価データ１１３ｄとして記憶する。
【００６８】
図２の説明に戻ると、買取保証データ処理部１１４ｄは、ＩＳＢＮコードなどの書籍情報と、書籍評価データ処理部１１４ｃで見積もられた買取保証額と、古本販売店１０が設定した買取保証期間および買取保証を付与して販売する新本の冊数とから買取保証データ１１３ｃを作成し、記憶部１１３に買取保証データ１１３ｃとして記憶するデータ処理部である。
【００６９】
また、買取保証データ処理部１１４ｄは、書店端末装置１３に買取保証データ１１３ｃを送信し、書店１２に対して買取保証を付与して販売する新本の情報と冊数、買取保証額および買取保証期間の情報を通知する。さらに、買取保証データ処理部１１４ｄは、古本販売店会員端末装置２２に対しても同様の情報を電子メール等の手段を利用して送信する。
【００７０】
図１１は、古本売買管理装置１１から古本販売店会員端末装置２２に送信された買取保証通知の画面表示の一例を示す図である。同図に示すように、この買取保証通知の画面には、新本の情報と買取冊数、通常の買取価格よりも高額に設定された買取保証額、買取保証期間の情報が表示される。このように、古本販売店１０の会員に対し、魅力的な買取条件を積極的に宣伝することで、会員の新本の購買意欲を高めることができる。
【００７１】
図２の説明に戻ると、新本購入者データ処理部１１４ｅは、書店１２が新本を新本購入者１５に販売する際に、新本購入者１５が買取保証を受ける資格がある会員かどうかを確認する要求を書店端末装置１３から受け付け、会員データ処理部１１４ａに対して確認要求を発信する。そして、会員データ処理部により確認がなされた結果を書店端末装置１３に送信する。
【００７２】
また、新本購入者データ処理部１１４ｅは、書店１２が新本を新本購入者１５に販売した際に、書店端末装置１３から送信された新本購入者１５の情報を受信し、それを記憶部１１３に新本購入者データ１１３ｆとして記憶する。その際、新本購入者データ処理部１１４ｅは、新本購入者１５の情報を送信した書店の書店コードと、売却日とを併せて記憶する。売却日は、新本購入者１５が購入した新本を古本として古本販売店１０に売却した日付であって、未売却の場合には「０」が記憶される。
【００７３】
仕入処理部１１４ｆは、古本販売店１０が新本購入者１５から古本を仕入れる際の、仕入れに係る処理をおこなう処理部である。具体的には、新本購入者１５が会員であるかどうかを確認するよう会員データ処理部１１４ａに要求する処理や、古本の買い取りをおこなう日付が買取保証期間内であるかどうかを確認して表示部１１２に出力する処理をおこない、古本販売店１０の店員に新本購入者１５が買取保証を受ける資格があるかどうかを通知する。
【００７４】
また、仕入れ処理部１１４ｆは、新本購入者データ処理部１１４ｅに新本購入者１５が古本を売却した売却日を設定するよう要求する処理をおこなう。さらに、その古本の購入予約をしていた古本購入者１６の古本購入者端末装置２１に対して、電子メール等の手段を利用して予約していた古本が入荷した旨の通知を送信する処理をおこなう。
【００７５】
売却促進通知送信部１１４ｇは、新本購入者データ１１３ｆを参照して、新本を購入したが未だ古本販売店１０にそれを売却していない新本購入者１５を抽出し、抽出された新本購入者１５の新本購入者端末装置２０に対して売却を促す旨の通知を送信する。この通知の送信は、任意の時点でおこなうよう設定することができる（例えば、買取保証期間の終了する３日前など。）。
【００７６】
図１２は、古本売買管理装置１１から新本購入者端末装置２０に送信された売却促進通知の画面表示の一例を示す図である。同図に示すように、この売却促進通知の画面には、新本の情報、買取保証額、買取保証期間および通常の買取価格の情報が表示される。このように、新本を購入した新本購入者１５に対して、通常の買取価格よりも高額な買取保証額と買取保証期間とを再度通知することで、新本購入者１５の古本の売却を促進することができる。
【００７７】
図２の説明に戻ると、特典ポイント付与部１１４ｈは、会員に対し特典ポイントを付与する処理部である。特典ポイントは、会員が古本を古本販売店１０に売却した際や、書籍の評価アンケートに回答した際などに付与される。会員が古本を古本販売店１０に売却した際には、古本販売店１０は買取価格を金銭で支払う代わりにその買取価格に相当する額のポイントを会員に付与し、後に古本販売店１０や書店１２で買い物をする際に、その買取価格相当分の割引が得られるようにする。また、評価アンケートに回答した場合には、所定のポイントが一律に与えられる。さらに、特典ポイント付与部１１４ｈは、会員の特典ポイントを書店１２の書店端末装置１３に送信する処理もおこなう。
【００７８】
続いて、書店１２の書店端末装置１３の構成について説明する。書店端末装置１３は、古本売買管理装置１１から買取保証の情報を含んだ買取保証データ１１３ｃを受信し、また、買取保証を付与された新本を購入した新本購入者１５の情報を古本売買管理装置１１に送信する端末装置である。さらに、新本購入者１５が古本販売店１０の会員かどうかを調べるために、古本売買管理装置１１に問合せをおこなう。
【００７９】
書店端末装置１３は、インターフェース部１３０と、入力部１３１と、表示部１３２と、記憶部１３３と、制御部１３４とを有する。インターフェース部１３０は、インターネット１４を介して古本売買管理装置１１とデータの授受をおこなうネットワークインターフェースであり、具体的にはＴＣＰ／ＩＰにしたがったプロトコル処理をおこなう。
【００８０】
入力部１３１は、キーボードや磁気カードリーダなどの入力デバイスである。キーボードは、古本売買管理装置１１に送信する新本購入者１５のデータ等の入力に使用され、磁気カードリーダは、会員ＩＤ番号などを記憶させた磁気カードを会員証として配布している場合に、磁気カードに記憶された会員データの読み込みおよび入力に使用される。
【００８１】
表示部１３２は、液晶パネルやディスプレイなどの表示デバイスであり、記憶部１３３は、ＲＡＭやハードディスク装置などの記憶デバイスである。この記憶部１３３には、古本売買管理装置１１から送信された買取保証データ１１３ｃが記憶されている。この買取保証データ１１３ｃは、図５に示したものと同一のものであり、書店１０はこのデータを参照して新本の販売をおこなう。
【００８２】
制御部１３４は、新本購入者データ送信部１３４ａと、買取保証データ受信部１３４ｂと、会員データ問合せ部１３４ｃとを有する。新本購入者データ送信部１３４ａは、新本購入者１５の会員ＩＤ番号と、購入した新本の情報（ＩＳＢＮコード、冊数）と、書店１０の書店コードと、その新本を新本購入者１５が購入した購入日の情報とを古本売買管理装置１１に送信する処理部である。
【００８３】
買取保証データ受信部１３４ｂは、古本売買管理装置１１から出力された買取保証データ１１３ｃを受信し、記憶部１３３に記憶する処理部である。会員データ問合せ部１３４ｃは、書店１０が買取保証を付与して新本を販売する際に、新本購入者１５が古本販売店の会員であるかどうかを古本売買管理装置１１に問合せをおこなう処理部である。具体的には、新本購入者１５の会員ＩＤ番号や電話番号などの情報を送信し、古本売買管理装置１１によって会員データ１１３ａとの照合がなされた結果を受信する。
【００８４】
次に、図２に示した古本売買管理装置１１と書店端末装置１３との間でおこなわれる新本販売時の処理の処理手順について説明する。図１３は、図２に示した古本売買管理装置１１と書店端末装置１３との間でおこなわれる新本販売時の処理の処理手順を示すフローチャートである。
【００８５】
この処理では、書店１２が新本を新本購入者１５に販売する際に、その新本購入者１５が買取保証を付与を受けることができる古本販売店１０の会員であるかどうかを判定し、その後、すでに買取保証期間が過ぎていないかどうかを判定して、買取保証を付与するかどうかの判断を書店１２の店員に通知する。
【００８６】
同図に示すように、書店端末装置１３は、まず新本購入者１５の会員ＩＤ番号や電話番号などのデータの入力を受け付け（ステップＳ１３０１）、そのデータを古本売買管理装置１１に送信する（ステップＳ１３０２）。古本売買管理装置１１は、書店端末装置１３により送信された新本購入者１５のデータを受信し（ステップＳ１３０３）、記憶部１１３に記憶してある会員データ１１３ａとの照合をおこなう（ステップＳ１３０４）。
【００８７】
そして、古本売買管理装置１１は、照合により得られた会員かどうかの判定結果を書店端末装置１３に送信し（ステップＳ１３０５）、書店端末装置１３は、その判定結果を受信する（ステップＳ１３０６）。
【００８８】
続いて、書店端末装置１３は、受信した判定結果が「新本購入者１５が会員である」ことを示すものであるかどうかを調べ（ステップＳ１３０７）、会員でない場合には（ステップＳ１３０７，Ｎｏ）、その場で会員登録を実行する会員登録処理をおこなうかどうかの判断を受け付け（ステップＳ１３０８）、会員登録処理をおこなう場合には（ステップＳ１３０８，Ｙｅｓ）、ステップＳ１３０９に移行する。会員登録処理をおこなわない場合には（ステップＳ１３０８，Ｎｏ）、そのまま処理を終了する。
【００８９】
判定の結果、会員であった場合（ステップＳ１３０７，Ｙｅｓ）、あるいはその場で会員となった場合には（ステップＳ１３０８，Ｙｅｓ）、書店端末装置１３の記憶部１３３に記憶された買取保証データ１１３ｃを読み込み、該当する新本の買取保証期間を取得する（ステップＳ１３０９）。
【００９０】
そして、販売当日の日付が買取保証期間外であるかどうかを調べ（ステップＳ１３１０）、買取保証期間外であれば（ステップＳ１３１０，Ｙｅｓ）、買取保証外通知を書店端末装置１３の表示デバイスに出力する（ステップＳ１３１１）。
【００９１】
買取保証期間内である場合には（ステップＳ１３１０，Ｎｏ）、書店端末装置１３は、新本購入者１５が古本販売店１０に本を買取保証期間内に売却するかどうかの申込の入力を受け付け（ステップＳ１３１２）、売却申込があった場合には（ステップＳ１３１２，Ｙｅｓ）、買取保証対象であることを通知する買取保証通知を書店端末装置１３の表示デバイスに出力する（ステップＳ１３１３）。
【００９２】
そして、新本購入者１５が新本を購入した後、新本購入者１５のデータを古本売買管理装置１１に送信する（ステップＳ１３１４）。売却申込がなかった場合には（ステップＳ１３１２，Ｎｏ）、そのまま処理を終了する。
【００９３】
その後、古本売買管理装置１１は、その新本購入者１５のデータを受信し（ステップＳ１３１５）、新本購入者データ１１３ｆとして記憶部１１３に登録して記憶する（ステップＳ１３１６）。記憶された新本購入者データ１１３ｆは、新本購入者１５が、購入した新本を古本として売却する際に参照される。
【００９４】
このように、書店１０の店員は、書店端末装置１３の出力結果を調べることで、買取保証を適用して新本を販売するかどうかを容易に判断し、新本の販売をおこなうことができる。
【００９５】
次に、図２に示した古本売買管理装置１１の古本買い取り時の処理の処理手順について説明する。図１４は、図２に示した古本売買管理装置１１の古本買い取り時の処理の処理手順を示すフローチャートである。
【００９６】
同図に示すように、古本売買管理装置１１は、まず、購入した新本を古本として売却する新本購入者１５の会員ＩＤ番号や電話番号などのデータの入力を受け付ける（ステップＳ１４０１）。そして、入力されたデータと、記憶部１１３に記憶してある会員データ１１３ａとの照合をおこない（ステップＳ１４０２）、入力されたデータがすでに登録してある会員データと一致するかどうかを調べる（ステップＳ１４０３）。
【００９７】
会員データと一致しない場合は（ステップＳ１４０３，Ｎｏ）、会員ではないと判断し、買取保証対象外であることを通知する買取保証外通知を古本売買管理装置１１の表示デバイスに出力する（ステップＳ１４０７）。会員データと一致した場合は（ステップＳ１４０３，Ｙｅｓ）、その新本購入者１５に該当する新本購入者レコードを新本購入者データ１１３ｆから読み込み、買取保証期間を取得する（ステップＳ１４０４）。
【００９８】
そして、買い取り当日の日付が買取保証期間内であるかどうかを調べ（ステップＳ１４０５）、買取保証期間内であれば（ステップＳ１４０５，Ｙｅｓ）、買取保証対象であることを通知する買取保証通知を古本売買管理装置１１の表示デバイスに出力する（ステップＳ１４０６）。買取保証期間外であれば（ステップＳ１４０５，Ｎｏ）、買取保証外通知を古本売買管理装置１１の表示デバイスに出力する（ステップＳ１４０７）。
【００９９】
このように、古本売買管理装置１１を利用することにより、古本販売店１０の店員は、買取保証を適用して古本を買い取るかどうかをその出力結果から容易に判断し、古本の買い取りをおこなうことができる。
【０１００】
古本の買い取りが完了した後は、古本売買管理装置１１は、記憶部１１３の会員データ１１３ａと古本予約データ１１３ｂとを参照して、買い取った本を予約した会員の会員ＩＤ番号を検索し、その会員ＩＤ番号に対応する会員の古本購入者端末装置２１に電子メール等で入荷情報を送信し、会員に通知する。
【０１０１】
さらに、古本を予約した会員がその古本を購入した場合には、古本売買管理装置１１は、古本購入通知を書店端末装置１３に送信する。書店端末装置１３は、その古本購入通知を受信し、その後、古本売買管理装置１１との間で会員に対する特典ポイントの情報などのデータの授受をインターネット１４を介しておこない、書店１２で特典ポイントなどを利用した買い物ができるようにする。
【０１０２】
次に、図２に示した古本売買管理装置１１の売却促進通知を送信する処理の処理手順について説明する。図１５は、図２に示した古本売買管理装置１１の売却促進通知を送信する処理の処理手順を示すフローチャートである。
【０１０３】
同図に示すように、古本売買管理装置１１は、まず、新本購入者レコードを記憶部１１３に記憶された新本購入者データ１１３ｆから一つ読み込んで、買取保証期間と売却日のデータを取得する（ステップＳ１５０１）。
【０１０４】
そして、新本購入者１５が書店１２から購入した新本をすでに古本販売店１０に売却したかどうかを売却日のデータを参照して調べる（ステップＳ１５０２）。新本購入者１５がすでに売却している場合には（ステップＳ１５０２，Ｎｏ）、そのままステップＳ１５０５に移行する。
【０１０５】
新本購入者がまだ購入した新本を売却していない場合には（ステップＳ１５０２，Ｙｅｓ）、続いて、この売却促進通知を送信する当日の日付から数えてｎ日以内に買取保証期間が終了するかどうかを調べる（ステップＳ１５０３）。ここで、ｎは古本販売店１０により任意の日数に設定される。
【０１０６】
買取保証期間がｎ日以内に終了しない場合には（ステップＳ１５０３，Ｎｏ）、そのままステップＳ１５０５に移行する。買取保証期間がｎ日以内に終了する場合には（ステップＳ１５０３，Ｙｅｓ）、図１２に示したような売却促進通知を新本購入者１５の新本購入者端末装置２０に電子メール等の手段を利用して送信する（ステップＳ１５０４）。
【０１０７】
その後、その新本購入者レコードが最後のレコードかどうかを調べ（ステップＳ１５０５）、最後のレコードである場合には（ステップＳ１５０５，Ｙｅｓ）、処理を終了する。最後のレコードでない場合には（ステップＳ１５０５，Ｎｏ）、ステップＳ１５０１に戻って次の新本購入者レコードを読み込んで、ステップＳ１５０２からステップＳ１５０４の処理をおこなう。
【０１０８】
上述してきたように、本実施の形態１では、古本売買管理装置１１が、新本の買取保証額とその買取保証額が適用される買取保証期間とを含む買取保証データ１１３ｃを作成して記憶し、それを書店端末装置１３に送信するとともに、それを買い取る際には記憶された買取保証データ１１３ｃを参照して買取保証額で買い取ることとしたので、書店１２がその買取保証データ１１３ｃに基づいて買取保証を付与して新本を販売することで、新本購入者１５の新本の購買意欲と古本販売店１０へのその本の売却意欲とを高め、古本販売店１０は、古本をより確実にかつ効率よく仕入れ、客への古本の販売を時機を逸することなくおこなうことができるようになる。
【０１０９】
（実施の形態２）
ところで、上記実施の形態１で説明した古本売買管理装置（古物売買管理装置）および古本売買管理方法（古物売買管理方法）は、あらかじめ用意されたプログラムをパーソナル・コンピュータやワークステーションなどのコンピュータシステムで実行することによって実現することができる。そこで、本実施の形態２では、上記実施の形態１で説明した古本売買管理装置および古本売買管理方法と同様の機能を有する古本売買管理プログラム（古物売買管理プログラム）を実行するコンピュータシステムについて説明する。
【０１１０】
図１６は、本実施の形態２に係るコンピュータシステムの構成を示すシステム構成図であり、図１７は、このコンピュータシステムにおける本体部の構成を示すブロック図である。
【０１１１】
図１６に示すように、本実施の形態２に係るコンピュータシステム２００は、本体部２０１と、本体部２０１からの指示によって表示画面２０２ａに画像などの情報を表示するためのディスプレイ２０２と、このコンピュータシステム２００に種々の情報を入力するためのキーボード２０３と、磁気カードに記憶された情報を読み取る磁気カードリーダ２０４とを備える。
【０１１２】
また、このコンピュータシステム２００における本体部２０１は、図１７に示すように、ＣＰＵ２２１と、ＲＡＭ２２２と、ＲＯＭ２２３と、ハードディスクドライブ（ＨＤＤ）２２４と、ＣＤ−ＲＯＭ２０９を受け入れるＣＤ−ＲＯＭドライブ２２５と、フレキシブルディスク（ＦＤ）２０８を受け入れるＦＤドライブ２２６と、ディスプレイ２０２、キーボード２０３並びに磁気カードリーダ２０４を接続するＩ／Ｏインターフェース２２７と、ローカルエリアネットワークまたは広域エリアネットワーク（ＬＡＮ／ＷＡＮ）２０６に接続するＬＡＮインターフェース２２８とを備える。
【０１１３】
さらに、このコンピュータシステム２００には、インターネットなどの公衆回線２０７に接続するためのモデム２０５が接続されるとともに、ＬＡＮインターフェース２２８およびＬＡＮ／ＷＡＮ２０６を介して、他のコンピュータシステム（ＰＣ）２１１、サーバ２１２並びにプリンタ２１３などが接続される。
【０１１４】
そして、このコンピュータシステム２００は、所定の記録媒体に記録された古本売買管理プログラムを読み出して実行することで古本売買管理装置および古本売買管理方法を実現する。
【０１１５】
ここで、所定の記録媒体とは、フレキシブルディスク（ＦＤ）２０８、ＣＤ−ＲＯＭ２０９、ＭＯディスク、ＤＶＤディスク、光磁気ディスク、ＩＣカードなどの「可搬用の物理媒体」の他に、コンピュータシステム２００の内外に備えられるハードディスクドライブ（ＨＤＤ）２２４や、ＲＡＭ２２２、ＲＯＭ２２３などの「固定用の物理媒体」、さらに、モデム２０５を介して接続される公衆回線２０７や、他のコンピュータシステム２１１並びにサーバ２１２が接続されるＬＡＮ／ＷＡＮ２０６などのように、プログラムの送信に際して短期にプログラムを保持する「通信媒体」など、コンピュータシステム２００によって読み取り可能な古本売買管理プログラムを記録する、あらゆる記録媒体を含むものである。
【０１１６】
すなわち、古本売買管理プログラムは、上記した「可搬用の物理媒体」、「固定用の物理媒体」、「通信媒体」などの記録媒体に、コンピュータ読み取り可能に記録されるものであり、コンピュータシステム２００は、このような記録媒体から古本売買管理プログラムを読み出して実行することで古本売買管理装置および古本売買管理方法を実現する。
【０１１７】
なお、古本売買管理プログラムは、コンピュータシステム２００によって実行されることに限定されるものではなく、他のコンピュータシステム２１１またはサーバ２１２が古本売買管理プログラムを実行する場合や、これらが協働して古本売買管理プログラムを実行するような場合にも、本発明を同様に適用することができる。
【０１１８】
（他の実施の形態）
さて、これまで本発明の実施の形態について説明したが、本発明は上述した実施の形態以外にも、上記特許請求の範囲に記載した技術的思想の範囲内において種々の異なる実施の形態にて実施されてもよいものである。
【０１１９】
例えば、本実施の形態では、会員またはその場で会員になった者に対してのみ買取保証を付与して新本を販売することとしたが、会員であるかどうかに係らず、一般の顧客に対し買取保証を付与することとしてもよい。この場合、買取保証を付与して販売する新本の冊数はあらかじめ古本販売店１０が設定をおこなうこととする。
【０１２０】
また、本実施の形態では、新本購入者１５が購入した新本を古本として古本販売店１０に売却する際に、古本販売店１０はその買取価格に相当する額のポイントを新本購入者１５に付与し、後に古本販売店１０や書店１２で買い物をする際に、その買取価格相当分の割引が得られるようにすることとしたが、ポイントを付与する代わりに買取価格を金銭や金券などで支払うこととしてもよい。
【０１２１】
また、本実施の形態では、買取条件として、古本販売店１０が通常古本を買い取る買取評価額よりも高い買取価格で古本を買い取ることとしたが、買取時に所定の景品を提供することとしてもよい。これにより、高額な買取価格を設定した場合と同様、新本を購入した新本購入者１５の売却意欲を高めることができる。
【０１２２】
また、本実施の形態では、新本購入者１５が書店１０で新本を購入した際に、書店端末装置１３が新本購入者１５のデータを古本売買管理装置１１に送信し、新本購入者１５がその新本を古本販売店１０に売却する際に、古本売買管理装置１１が新本購入者１５が買取保証を受ける資格を有するかどうかを調べることとしたが、新本購入者１５が書店１０で新本を購入した際に受け取るレシートに買取保証を受ける資格を有することを証明する証明書等を印刷するようにしてもよい。新本購入者１５は、その証明書を売却時に提示することで、買取保証の適用を受けることができるようになる。
【０１２３】
また、本実施の形態では、古本を通常の買取価格よりも高額な価格で買い取るなどの特典を、新本購入者１５が購入した新本を古本販売店１０に売却する際に提供することとしたが、このような特典を新本購入者１５が書店１２から購入する際に提供してもよい。具体的には、書店１２が新本を販売する際に、古本販売店１０の古本の通常の買取評価額と、設定された買取保証額との差額分を新本の販売価格から割り引くこととする。
【０１２４】
このように、新本購入者１０が新本を購入した段階で特典を提供することにより、新本購入者１０がその新本を古本として古本販売店１０に売却することを確約させ、古本販売店１０はより確実かつ効率的に古本を仕入れることができるようになる。ここで、書店１２が割り引いた差額分は、後に古本販売店１０から書店１２に支払われる。
【０１２５】
さらに、本実施の形態では、買取保証を付与して売買をおこなう対象が本である場合を説明したが、本発明はこれに限定されるものではなく、ＣＤ・ビデオテープ・ＤＶＤなどのＡＶソフトウェア、テレビゲーム機用ソフトウェアなどの商品の売買にも同様に適用することができる。
【０１２６】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１２７】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２８】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１２９】
（付記１）新品の商品を販売する販売店の端末装置にネットワークを介して接続され、該販売店により販売されて古物となった該商品の売買を管理する古物売買管理装置であって、
前記新品の商品が前記販売店により販売される場合に該販売店により付与される前記古物となった商品を所定の期間内に所定の条件で買い取ることを保証する買取保証に係る情報を少なくとも記憶する買取保証情報記憶手段と、
前記買取保証情報記憶手段により記憶された前記買取保証が付与される新品の商品に対応する前記買取保証に係る情報を読み出して前記販売店の端末装置に送信する買取保証情報送信手段と、
を備えたことを特徴とする古物売買管理装置。
【０１３０】
（付記２）前記買取保証の付与を受ける資格を有する会員の会員情報を記憶する会員情報記憶手段と、前記会員情報記憶手段により記憶された会員情報に対応する前記会員の端末装置に対して前記ネットワークを介して前記買取保証に係る情報を送信する買取保証情報通知手段と、をさらに備えたことを特徴とする付記１に記載の古物売買管理装置。
【０１３１】
（付記３）前記販売店の端末装置により送信された前記新品の商品を購入する購入者の購入者情報を受信する購入者情報受信手段と、該購入者が前記買取保証の付与を受ける資格を有する会員かどうかを前記会員情報記憶手段により記憶された会員情報を参照して判定する会員判定手段と、前記会員判定手段により判定された結果を前記販売店の端末装置に送信する判定結果送信手段と、をさらに備えたことを特徴とする付記２に記載の古物売買管理装置。
【０１３２】
（付記４）前記購入者が買取保証の付与を受ける資格を有する会員であった場合に前記購入者情報受信手段により受信された該購入者の購入者情報を記憶する購入者情報記憶手段と、前記購入者情報記憶手段により記憶された前記購入者情報に対応する前記購入者の端末装置に前記古物となった商品の売却を促す売却促進通知を前記ネットワークを介して送信する売却促進通知送信手段と、をさらに備えたことを特徴とする付記３に記載の古物売買管理装置。
【０１３３】
（付記５）買い取りをおこなう前記古物となった商品の買取保証に係る前記条件を前記会員の該商品に対する評価に基づいて決定する買取保証条件決定手段と、前記買取保証条件決定手段により決定された前記条件に基づいて前記買取保証に係る情報を作成する買取保証情報作成手段と、をさらに備えたことを特徴とする付記２〜４のいずれか一つに記載の古物売買管理装置。
【０１３４】
（付記６）新品の商品を販売する販売店の端末装置にネットワークを介して接続された古物売買管理装置が該販売店により販売されて古物となった該商品の売買を管理する古物売買管理方法であって、
前記新品の商品が前記販売店により販売される場合に該販売店により付与される前記古物となった商品を所定の期間内に所定の条件で買い取ることを保証する買取保証に係る情報を少なくとも記憶する買取保証情報記憶工程と、
前記買取保証情報記憶工程により記憶された前記買取保証が付与される新品の商品に対応する前記買取保証に係る情報を読み出して前記販売店の端末装置に送信する買取保証情報送信工程と、
を含んだことを特徴とする古物売買管理方法。
【０１３５】
（付記７）前記買取保証の付与を受ける資格を有する会員の会員情報を記憶する会員情報記憶工程と、前記会員情報記憶工程により記憶された会員情報に対応する前記会員の端末装置に対して前記ネットワークを介して前記買取保証に係る情報を送信する買取保証情報通知工程と、をさらに含んだことを特徴とする付記６に記載の古物売買管理方法。
【０１３６】
（付記８）前記販売店の端末装置により送信された前記新品の商品を購入する購入者の購入者情報を受信する購入者情報受信工程と、該購入者が前記買取保証の付与を受ける資格を有する会員かどうかを前記会員情報記憶工程により記憶された会員情報を参照して判定する会員判定工程と、前記会員判定工程により判定された結果を前記販売店の端末装置に送信する判定結果送信工程と、をさらに含んだことを特徴とする付記７に記載の古物売買管理方法。
【０１３７】
（付記９）前記購入者が買取保証の付与を受ける資格を有する会員であった場合に前記購入者情報受信工程により受信された該購入者の購入者情報を記憶する購入者情報記憶工程と、前記購入者情報記憶工程により記憶された前記購入者情報に対応する前記購入者の端末装置に前記古物となった商品の売却を促す売却促進通知を前記ネットワークを介して送信する売却促進通知送信工程と、をさらに含んだことを特徴とする付記８に記載の古物売買管理方法。
【０１３８】
（付記１０）買い取りをおこなう前記古物となった商品の買取保証に係る前記条件を前記会員の該商品に対する評価に基づいて決定する買取保証条件決定工程と、前記買取保証条件決定工程により決定された前記条件に基づいて前記買取保証に係る情報を作成する買取保証情報作成工程と、をさらに含んだことを特徴とする付記７〜９のいずれか一つに記載の古物売買管理方法。
【０１３９】
（付記１１）新品の商品を販売する販売店の端末装置にネットワークを介して接続された古物売買管理装置が該販売店により販売されて古物となった該商品の売買を管理する古物売買管理方法をコンピュータに実行させるプログラムであって、
前記新品の商品が前記販売店により販売される場合に該販売店により付与される前記古物となった商品を所定の期間内に所定の条件で買い取ることを保証する買取保証に係る情報を少なくとも記憶する買取保証情報記憶工程と、
前記買取保証情報記憶工程により記憶された前記買取保証が付与される新品の商品に対応する前記買取保証に係る情報を読み出して前記販売店の端末装置に送信する買取保証情報送信工程と、
をコンピュータに実行させるプログラム。
【０１４０】
【発明の効果】
以上説明したように、請求項１の発明によれば、新品の商品が販売店により販売される場合に付与される、古物を所定の期間内に所定の条件で買い取ることを保証する買取保証に係る情報を少なくとも記憶し、買取保証が付与される新品の商品に対応する記憶された買取保証に係る情報を読み出して販売店の端末装置に送信することとしたので、古物商は、買取保証を付与して販売された商品を古物としてより確実にかつ効率よく仕入れ、客への古物の販売を時機を逸することなくおこなうことが可能な古物売買管理装置が得られるという効果を奏する。
【０１４１】
また、請求項２の発明によれば、買取保証の付与を受ける資格を有する会員の会員情報を記憶し、記憶された会員情報に対応する会員の端末装置に対してネットワークを介して買取保証に係る情報を送信することとしたので、買取保証に係る情報を会員に広く伝達し、買取保証を付与して古物をより確実にかつ効率よく仕入れることが可能な古物売買管理装置が得られるという効果を奏する。
【０１４２】
また、請求項３の発明によれば、販売店の端末装置により送信された新品の商品を購入する購入者の購入者情報を受信し、その購入者が買取保証の付与を受ける資格を有する会員かどうかを記憶された会員情報を参照して判定し、判定された結果を販売店の端末装置に送信することとしたので、販売店は買取保証の付与を受ける資格を有する会員かどうかを容易に判定し、買取保証を付与して商品を確実に販売することが可能な古物売買管理装置が得られるという効果を奏する。
【０１４３】
また、請求項４の発明によれば、購入者が買取保証の付与を受ける資格を有する会員であった場合に、受信された購入者情報を記憶し、記憶した購入者情報に対応する購入者の端末装置に古物となった商品の売却を促す売却促進通知をネットワークを介して送信することとしたので、買取保証を付与された商品の売却を購入者に想起させて売却を促進し、古物商はその商品をより確実にかつ効率よく仕入れることが可能な古物売買管理装置が得られるという効果を奏する。
【０１４４】
また、請求項５の発明によれば、買い取りをおこなう古物となった商品の買取保証に係る条件を、会員のその商品に対する評価に基づいて決定し、決定された条件に基づいて買取保証に係る情報を作成することとしたので、買取保証を付与される商品の買取保証に係る条件を適切かつ効率的に決定し、商品の仕入をおこなうことが可能な古物売買管理装置が得られるという効果を奏する。
【０１４５】
また、請求項６の発明によれば、新品の商品が販売店により販売される場合に付与される、古物を所定の期間内に所定の条件で買い取ることを保証する買取保証に係る情報を少なくとも記憶し、買取保証が付与される新品の商品に対応する記憶された買取保証に係る情報を読み出して販売店の端末装置に送信することとしたので、古物商は、買取保証を付与して販売された商品を古物としてより確実にかつ効率よく仕入れ、客への古物の販売を時機を逸することなくおこなうことが可能な古物売買管理方法が得られるという効果を奏する。
【図面の簡単な説明】
【図１】本実施の形態１に係る古本売買管理システムの概念について説明する説明図である。
【図２】本実施の形態１に係る古本売買管理システムの構成を示す機能ブロック図である。
【図３】会員データのデータ構造の一例を示す図である。
【図４】古本予約データのデータ構造の一例を示す図である。
【図５】買取保証データのデータ構造の一例を示す図である。
【図６】書籍評価データのデータ構造の一例を示す図である。
【図７】古本販売データのデータ構造の一例を示す図である。
【図８】新本購入者データのデータ構造の一例を示す図である。
【図９】古本売買管理装置が古本の予約を受け付ける際の古本購入者端末装置の画面表示の一例を示す図である。
【図１０】古本売買管理装置が書籍評価アンケートをとる場合の古本販売店会員端末装置の画面表示の一例を示す図である。
【図１１】古本売買管理装置から古本販売店会員端末装置に送信された買取保証通知の画面表示の一例を示す図である。
【図１２】古本売買管理装置から新本購入者端末装置に送信された売却促進通知の画面表示の一例を示す図である。
【図１３】図２に示した古本売買管理装置と書店端末装置との間でおこなわれる新本販売時の処理の処理手順を示すフローチャートである。
【図１４】図２に示した古本売買管理装置の古本買い取り時の処理の処理手順を示すフローチャートである。
【図１５】図２に示した古本売買管理装置の売却促進通知を送信する処理の処理手順を示すフローチャートである。
【図１６】本実施の形態２に係るコンピュータシステムの構成を示すシステム構成図である。
【図１７】図１６に示したコンピュータシステムにおける本体部の構成を示すブロック図である。
【符号の説明】
１０    古本販売店
１１    古本売買管理装置
１２    書店
１３    書店端末装置
１４    インターネット
１５    新本購入者
１６    古本購入者
２０    新本購入者端末装置
２１    古本購入者端末装置
２２    古本販売店会員端末装置
１１０，１３０    インターフェース部
１１１，１３１    入力部
１１２，１３２    表示部
１１３，１３３    記憶部
１１３ａ    会員データ
１１３ｂ    古本予約データ
１１３ｃ    買取保証データ
１１３ｄ    書籍評価データ
１１３ｅ    古本販売データ
１１３ｆ    新本購入者データ
１１４，１３４    制御部
１１４ａ    会員データ処理部
１１４ｂ    予約処理部
１１４ｃ    書籍評価データ処理部
１１４ｄ    買取保証データ処理部
１１４ｅ    新本購入者データ処理部
１１４ｆ    仕入処理部
１１４ｇ    売却促進通知送信部
１１４ｈ    特典ポイント付与部
１３４ａ    新本購入者データ送信部
１３４ｂ    買取保証データ受信部
１３４ｃ    会員データ問合せ部
【図１】
2004227428.tif 000003
【図２】
2004227428.tif 000004
【図３】
2004227428.tif 000005
【図４】
2004227428.tif 000006
【図５】
2004227428.tif 000007
【図６】
2004227428.tif 000008
【図７】
2004227428.tif 000009
【図８】
2004227428.tif 000010
【図９】
2004227428.tif 000011
【図１０】
2004227428.tif 000012
【図１１】
2004227428.tif 000013
【図１２】
2004227428.tif 000014
【図１３】
2004227428.tif 000015
【図１４】
2004227428.tif 000016
【図１５】
2004227428.tif 000017
【図１６】
2004227428.tif 000018
【図１７】
2004227428.tif 000019